(57)【特許請求の範囲】
【請求項１】
送風機と、
前記送風機を駆動する駆動部と、
前記送風機の通風路を開閉するシャッターと、
電圧Ａに対応するデューティＡまたは前記電圧Ａよりも低い電圧Ｂに対応するデューティＢを出力するデューティ出力部と、
入力された交流電圧を直流に変換する直交変換回路と、
前記直交変換回路が出力した直流電圧を前記デューティ出力部からのデューティに基づいて降圧する降圧部と、
前記電圧Ａを受けて前記シャッターを開状態とし前記電圧Ｂを受けて前記シャッターの開状態を維持するソレノイドと、
前記電圧Ａを入力してコンデンサの充電を開始し所定の時間経過後に前記充電が満了した旨を出力する遅延部とを備え、
前記デューティ出力部は、
前記遅延部からの充電が満了した旨の出力を受けるまでは前記デューティＡを前記降圧部に出力し、
前記遅延部からの充電が満了した旨の出力を受けて前記デューティＢを前記降圧部に出力する換気装置。
【請求項２】
前記降圧部からの電圧が前記電圧Ｂよりも低い電圧Ｃ以上または未満であることを判定する判定部と、
前記判定部が前記電圧Ｃ未満であると判定した場合には前記コンデンサの電荷を強制放電するリセット部とを備えた請求項１に記載の換気装置。
【請求項３】
外部からの動作ＯＦＦ指示または動作ＯＮ指示を受け付ける入力スイッチと、
前記駆動部の駆動制御と前記電圧Ｂよりも低い電圧Ｄに対応するデューティＤの前記デューティ出力部への出力指示と前記リセット部の動作指示とを制御する制御部と、
前記降圧部の出力を受けて前記制御部の駆動電圧を生成する降圧変換部とを備え、
前記デューティ出力部は、
さらに前記電圧Ｄに対応するデューティＤを出力し、
前記制御部は、
前記入力スイッチが受け付けた動作ＯＦＦ指示に基づいて、
前記駆動部の停止と、
前記デューティ出力部へのデューティＤの出力指示と、
前記コンデンサの電荷を強制放電させる指示とを行う請求項２に記載の換気装置。
【請求項４】
前記制御部は、
前記入力スイッチが受け付けた動作ＯＮ指示に基づいて、
前記駆動部の駆動と、
前記デューティ出力部へのデューティＡの出力指示と、
前記リセット部の動作を停止して前記コンデンサの電荷の強制放電を停止させる指示とを行う請求項３に記載の換気装置。
【請求項５】
前記電圧Ａは、
前記シャッターを開状態にできる始動電圧であり、
前記電圧Ｂは、
前記シャッターの開状態を保持できる保持電圧である請求項２から４のいずれかに記載の換気装置。
【請求項６】
前記電圧Ｃは、
前記保持電圧よりも低く前記シャッターを閉状態とする電圧である請求項５に記載の換気装置。
【請求項７】
前記電圧Ｄは、
前記シャッターの開状態を保持できる保持電圧よりも低く前記制御部の動作を維持できる電圧よりも高い制御部動作電圧である請求項３または４に記載の換気装置。
【発明の詳細な説明】
【技術分野】
【０００１】
本発明は、室内空気を換気する換気装置に関するものである。
【背景技術】
【０００２】
従来、室内の空気を排出するために、室内の吸込口から室外の排気口にかけて壁を貫通した排気ダクトを通じて室内の換気を行う小型の換気装置が用いられている。このような小型の換気装置には、吸込口にシャッターが設けられている。このシャッターは換気装置を停止しているときに、外から風が入ることを防ぐために使用している。
【０００３】
そして、シャッターを開閉する駆動力としてはソレノイドが使用されている。ソレノイドとは、電磁力を利用して電気エネルギーを機械運動に変換する機能部品である。従来の換気装置においては、シャッター本体に連結した可動部をソレノイドのＯＮ／ＯＦＦに連動して動作させて、シャッターを開閉させている。
【０００４】
ソレノイドには直流駆動と交流駆動の２種類があり、小型の換気装置には、シャッターの開閉に必要とされる駆動力もストロークも小さいもので十分であるため、駆動力もストロークも小さく、異常発熱の恐れが無い直流タイプのソレノイドが使用される。直流ソレノイドを用いた場合には、換気装置の電源回路は、ソレノイド駆動用の電源回路と、送風機のＯＮ／ＯＦＦ制御を行う制御回路用の２つの電源回路から構成される。（例えば、特許文献１参照）。
【０００５】
このような換気装置はそれ自体が小型であるため、換気通風路を可能な限り確保できるように、シャッター構成は省スペースのソレノイドと必要最低限の動作を行うだけの制御回路で構成されている。
【０００６】
なお、シャッターを開状態にする際にはソレノイドに大きな始動トルクが必要となり、開状態を保持する際には始動トルクよりも小さな保持トルクでよい。つまり、簡易な電気回路の構成では、シャッターの開状態を保持する際にも本来必要ではない始動トルクを確保するため、ソレノイドに始動電圧を印加して保持を行う。
【０００７】
このような小型の換気装置では、換気を行うために利用される消費電力に対してソレノイドの消費電力の割合が大きくなる。このため、電気回路の半導体スイッチによって電力ロスを発生させることにより、ソレノイドに印加される電圧を始動電圧から保持電圧に切り替えることで、ソレノイドで消費される消費電力と発熱を低減させている（例えば、特許文献２）。
【先行技術文献】
【特許文献】
【０００８】
【特許文献１】特開２００８−３９３１３号公報
【特許文献２】特開２００８−０８９２４８号公報
【発明の概要】
【発明が解決しようとする課題】
【０００９】
このような従来の換気装置は、電子回路で電力ロスを発生させることにより、ソレノイドの消費電力や発熱を抑制するように構成していたが、半導体スイッチでの直流高電圧から直流低電圧に切り替える際に半導体スイッチに掛かる電力ドロップは損失が大きくなる。そのため、ソレノイドの消費電力や発熱は抑制できても、半導体スイッチの電力ロスは大きくなる。また半導体スイッチの発熱緩和のため、表面積の大きな半導体スイッチか別途放熱機構を設ける必要があり、換気装置全体の消費電力低減と電子回路の小型化の課題となっていた。
【００１０】
また、従来の換気装置は、使用者が届かないような高所に設置されることが多く、換気装置を起動停止するためのスイッチは、住宅の壁面で使用者が操作しやすい高さに設置される。すなわち、換気装置本体と起動停止用のスイッチは離れた場所に設置されることが多い。このような換気装置では、換気装置本体を掃除する際には、換気装置とは離れた場所に設けられた起動停止用スイッチを操作した後に、換気装置の掃除を行わなければならない。この手間を減らすために、換気装置本体に一時停止用のスイッチ（以降、入力スイッチ）が設けられる。この入力スイッチは、換気装置本体において操作でき、換気装置を掃除するときに、換気装置の設置場所で操作ができることになる。
【００１１】
入力スイッチとして、商用電源を入り切りするスイッチを用いると、換気装置の大型化につながる。そのため、小型の換気装置の入力スイッチには、低圧直流電圧の制御回路へのスイッチ入力を利用している。すなわち、入力スイッチの入力を制御回路に認識させ、送風機を停止してシャッターを閉じて一次停止動作を行っている。一時停止を終了すると
きには、再度入力スイッチを操作（ＯＮ）して、運転を再開するものである。一時停止動作を行うにあたっては、シャッターを閉じるために、ソレノイドに０Ｖを印加してソレノイドの励磁を解消していた。一方、制御回路は、入力スイッチの操作入力を常に認識できなければならないため、一時停止の間も、制御回路の動作電圧以上の電圧が常に印加されていた。
【００１２】
このように従来の換気装置では、スイッチによる一時停止動作時に、ソレノイドへの印加電圧は０Ｖとし、制御回路の印加電圧は常に動作電圧以上を維持していた。このため、ソレノイドの電源回路と制御回路の電源回路の出力を共通の出力として使用することができず個別に用意する必要があり、装置の大型化、高コスト化の要因となっていた。
【００１３】
本発明は上記従来の課題を解決するものであり、ソレノイドと制御回路の電源回路の共用化し、小型かつ安価な換気装置を提供することを目的とする。
【課題を解決するための手段】
【００１４】
そして、この目的を達成するために本発明に係る換気装置は、送風機と、前記送風機を駆動する駆動部と、前記送風機の通風路を開閉するシャッターと、電圧Ａに対応するデューティＡまたは前記電圧Ａよりも低い電圧Ｂに対応するデューティＢを出力するデューティ出力部と、入力された交流電圧を直流に変換する直交変換回路と、前記直交変換回路が出力した直流電圧を前記デューティ出力部からのデューティに基づいて降圧する降圧部と、前記電圧Ａを受けて前記シャッターを開状態とし前記電圧Ｂを受けて前記シャッターの開状態を維持するソレノイドと、前記電圧Ａを入力してコンデンサの充電を開始し所定の時間経過後に前記充電が満了した旨を出力する遅延部とを備え、前記デューティ出力部は、前記遅延部からの充電が満了した旨の出力を受けるまでは前記デューティＡを前記降圧部に出力し、前記遅延部からの充電が満了した旨の出力を受けて前記デューティＢを前記降圧部に出力するものであり、これにより所期の目的を達成するものである。
【発明の効果】
【００１５】
本発明によれば、ソレノイドと制御回路の電源回路の共用化し、小型かつ安価な換気装置を提供できる。
【図面の簡単な説明】
【００１６】
【図１】本発明の実施の形態１に係る換気装置の配置構成図
【図２】本発明の実施の形態１に係る換気装置の部品構成図
【図３】本発明の実施の形態１に係る換気装置の電気回路構成図
【図４】本発明の実施の形態１に係る電気回路の回路動作を示すフローチャート
【図５】本発明の実施の形態１に係る電気回路の回路動作を示すチャート
【図６】本発明の実施の形態１に係る電気回路の回路動作を示すフローチャート
【図７】本発明の実施の形態１に係る電気回路の回路動作を示すチャート
【図８】本発明の実施の形態２に係る換気装置の電気回路構成図
【図９】本発明の実施の形態２に係る電気回路の回路動作を示すフローチャート
【図１０】本発明の実施の形態２に係る電気回路の回路動作を示すチャート
【発明を実施するための形態】
【００１７】
本発明に係る換気装置は、送風機と前記送風機を駆動する駆動部と、前記送風機の通風路を開閉するシャッターと、電圧Ａに対応するデューティＡまたは前記電圧Ａよりも低い電圧Ｂに対応するデューティＢを出力するデューティ出力部と、入力された交流電圧を直流に変換する直交変換回路と、前記直交変換回路が出力した直流電圧を前記デューティ出力部からのデューティに基づいて降圧する降圧部と、前記電圧Ａを受けて前記シャッターを開状態とし前記電圧Ｂを受けて前記シャッターの開状態を維持するソレノイドと、前記
電圧Ａを入力してコンデンサの充電を開始し所定の時間経過後に前記充電が満了した旨を出力する遅延部とを備え、前記デューティ出力部は、前記遅延部からの充電が満了した旨の出力を受けるまでは前記デューティＡを前記降圧部に出力し、前記遅延部からの充電が満了した旨の出力を受けて前記デューティＢを前記降圧部に出力する構成としている。
【００１８】
これにより、シャッターを開状態にする際にはソレノイドに大きな始動トルクを供給する始動電圧を所定の時間印加することができ、その後の開状態を保持する際には始動トルクよりも小さな保持トルクを供給する保持電圧を印加することができるため、ソレノイド自身の消費電力や発熱を抑制することができる。
【００１９】
また、 本発明に係る換気装置は、前記降圧部からの電圧が前記電圧Ｂよりも低い電圧Ｃ以上または未満であることを判定する判定部と、前記判定部が前記電圧Ｃ未満であると判定した場合には前記コンデンサの電荷を強制放電するリセット部とを備えて構成している。
【００２０】
これにより、入力される交流電圧の遮断および供給が短時間で切り替えられた場合にでも、シャッターを確実に開状態にするため、ソレノイドへの始動電圧印加が必要となる所定の時間を確保することができる。
【００２１】
また、本発明に係る換気装置は、外部からの動作ＯＦＦ指示または動作ＯＮ指示を受け付ける入力スイッチと、前記駆動部の駆動制御と前記電圧Ｂよりも低い電圧Ｄに対応するデューティＤの前記デューティ出力部への出力指示と前記リセット部の動作指示とを制御する制御部と、前記降圧部の出力を受けて前記制御部の駆動電圧を生成する降圧変換部とを備え、前記デューティ出力部は、さらに前記電圧Ｄに対応するデューティＤを出力し、前記制御部は、前記入力スイッチが受け付けた動作ＯＦＦ指示に基づいて、前記駆動部の停止と、前記デューティ出力部へのデューティＤの出力指示と、前記コンデンサの電荷を強制放電するのを動作させる指示とを行う構成としている。
【００２２】
これにより、外部からの動作ＯＦＦ指示に基づいて、前記駆動部の停止を行うとともに、シャッターの開状態を維持できる電圧よりも低く、前記制御部の動作を維持できる電圧よりも高い制御部動作電圧となる。このため、シャッターは保持状態を維持することができなくなり、閉状態となるが、制御回路を継続動作させることができる。
【００２３】
また、本発明に係る換気装置は、前記入力スイッチが受け付けた動作ＯＮ指示に基づいて、前記駆動部の駆動と、前記デューティ出力部へのデューティＡの出力指示と前記リセット部の動作を停止して前記コンデンサの電荷を強制放電するのを停止させる指示とを行う制御部を設けて構成している。
【００２４】
これにより、前記制御部は前記降圧回路の出力電圧が、前記制御部の動作電圧以上かつ前記ソレノイドの励磁解消電圧まで低下している状態で再び入力手段の指示があった場合に、前記降圧回路の出力電圧を復帰させるため、一時停止中であっても、制御回路は継続して動作しているので再度の入力スイッチの操作入力を認識することができ、シャッターを開き送風機を起動できる。
【００２５】
上記により、ソレノイドと制御回路の電源回路を共用化でき、小型で安価な換気装置を提供することができる。
【００２６】
以下、本発明の実施の形態について図面を参照しながら説明する。なお、以下の実施の形態は、本発明を具体化した一例であって、本発明の技術的範囲を限定するものではない。また、全図面を通して、同一の部位については同一の符号を付して二度目以降の説明を
省略している。さらに、各図面において、本発明に直接には関係しない各部の詳細については説明を省略している。
（実施の形態１）
図１に本発明に係る換気装置１０１の室内での配置構成を、図２に換気装置１０１の部品構成を、図３に換気装置１０１の電気回路の構成の一例を示す。
【００２７】
換気装置１０１は、図１に示すように、室内の空気を排気する目的で室内の壁面に取り付けられる。通常、室内では空気が温められて上昇気流が発生しやすいため、換気装置１０１を天井に近く、すなわち室内の高さ方向において中位よりも高い位置に配置することで、換気効率を高めている。また、換気装置１０１は、外部から室内に取り込まれた空気を直接排気するのを防止するため、窓１０３からは比較的離れた位置に設けられる。
【００２８】
壁スイッチ１０２は、換気装置１０１への交流電圧の供給および遮断を切り替えるための壁に埋め込まれた入力スイッチであり、換気装置１０１に対して外部からの動作ＯＦＦ指示または動作ＯＮ指示を受け付けて、壁内を通じて換気装置１０１に送信する。
【００２９】
図１では、壁スイッチ１０２は換気装置１０１と同じ壁面に設置されているが、使用者が使用やすい任意の場所に設置しても問題はない。
【００３０】
換気装置１０１は、図２に示すように、換気装置１０１本体のカバーであるフロントグリル１０４、シャッター１０５、羽根１０６、本体フレーム１０７、電装部１０８、モータ１０９を備えている。
【００３１】
フロントグリル１０４は、開口、すなわち、複数のスリットを有し、室内の空気の吸込口となるもので、室内側に設けられている。
【００３２】
モータ１０９とモータ１０９の回転軸に取り付けられた羽根１０６とで構成された送風機１２０は、本体フレーム１０７の中央円形開口部である通風路部分に固定される。
【００３３】
シャッター１０５は、フロントグリル１０４に設けられた吸込口から室外に通じる排気口までの通風路を開閉するものであり、開状態で通風可能とし、閉状態では通風不可能とすることができる。シャッター１０５は、本実施の形態では、フロントグリル１０４の裏側、すなわち、フロントグリル１０４と送風機との間に設けられている。シャッター１０５は、送風機１２０の起動停止と連動して開閉するもので、送風機１２０が起動した時は開放すなわち開状態となり、送風機１２０が停止した時は外からの風の室内への侵入を防ぐために閉じられすなわち閉状態となる。
【００３４】
また、シャッター１０５は図３等に示したソレノイド１と機構的に連結されていて、ソレノイド１のＯＮ／ＯＦＦにより開閉する構成としている。すなわち、ソレノイド１と送風機１２０の動作を連動させて換気装置１０１の運転停止を行っている。
【００３５】
電装部１０８は、本体フレーム１０７に取り付けられて、ソレノイド１及び送風機１２０の動作の制御を行っているが詳細は後述する。
【００３６】
次に、図３を用いて換気装置１０１の電気回路の構成とその機能について説明する。
【００３７】
電装部１０８に設けられる電気回路は、直交変換回路２、降圧部３、デューティ出力部４、遅延部５、リセット部６、判定部７、駆動部８を備えている。
【００３８】
直交変換回路２は、電源から入力された交流電圧を直流電圧に変換する。
【００３９】
降圧部３は、直交変換回路２の出力を低電圧の直流電圧に変換し、ソレノイド１に印加する電圧（低電圧）を出力する。降圧部３は、例えば半導体スイッチと、コイルと、ダイオードと、コンデンサとから構成されるスイッチング回路である。
【００４０】
デューティ出力部４は、デューティでの指示により降圧部３の出力電圧値を指示する。
【００４１】
遅延部５は、降圧部３からの出力電圧を受けて所定の時間で満充電となるコンデンサに充電を行い、充電が満了した後にデューティ出力部４へ充電が満了した旨を出力する。つまり所定の遅延時間の経過後に信号を出力する。
【００４２】
判定部７は、降圧部３の出力電圧を受けて任意の出力電圧か否かを判定し、判定結果をリセット部６へ出力する。ここでいう任意の出力電圧か否かとは、例えば所定の電圧以上か又は未満か、あるいは所定の電圧を超えるのかそれとも以下なのかを判定することを意味し、未満であっても以下であっても違いは無い。
【００４３】
リセット部６は、遅延部５のコンデンサの電荷の強制放電を行う。
【００４４】
駆動部８は、交流電源から提供される交流電圧を受けて動作し、送風機１２０を起動、または停止する。
【００４５】
次に、電気回路の回路動作、および換気装置１０１の起動時の動作について図４を参照しながら説明する。図４は、電気回路の回路動作を示すフローチャートである。なお図４における付番の先頭に記されたＳはステップを意味するが、Ｓに続く数値は必ずしも処理順序を示すものではない。
【００４６】
まず、使用者が壁スイッチ１０２をＯＮすると、交流電源から換気装置１０１に交流電圧が供給され、駆動部８により送風機が起動するとともに、供給された交流電圧は、直交変換回路２により交流から直流の１４１Ｖに変換される（Ｓ０００→Ｓ００１）。
【００４７】
直交変換回路２によって変換された直流電圧は、降圧部３に供給され、降圧部３は、電圧を決定するデューティ出力部４からのデューティＡの指示に従って、直流の低電圧（以下直流低電圧Ａ）に変換して、ソレノイド１へ供給する（Ｓ００２）。この変換は、具体的には例えば降圧部３を構成する半導体スイッチのＯＮおよびＯＦＦにより行われる。
【００４８】
直流低電圧Ａは、ソレノイド１がシャッター１０５を開状態にできる始動電圧である。つまり直流低電圧Ａがソレノイド１に印加されると、ソレノイド１が励磁されてシャッター１０５の可動部を動作させ、シャッター１０５が開き、遅延部５に設けられたコンデンサは直流低電圧Ａによって充電が開始される（Ｓ００３）。
【００４９】
直流低電圧Ａの出力から所定の時間が経過すると、遅延部５のコンデンサの充電が満了となり、遅延部５からデューティ出力部４へ充電が満了した旨が出力される（Ｓ００４Ｙｅｓ→Ｓ００５）。つまり遅延部５は、直流低電圧Ａに変換された直後から所定の時間が経過（遅延）したことをデューティ出力部４に送信する。
【００５０】
デューティ出力部４は、コンデンサの充電が満了した旨の出力を受け取ると、ソレノイド１がシャッター１０５の開状態を保持するために必要な保持電圧となる直流低電圧（以下、直流低電圧Ｂ）を示すデューティＢを出力する。これにより、ソレノイド１へ印加される電圧は直流低電圧Ｂに変更される（Ｓ００５）。つまりシャッター１０５が開状態に変更される際には直流低電圧Ａが印加され、所定の時間が経過すると直流低電圧Ｂへ切り
替わることとなる。つまり所定の時間とは、ソレノイド１がシャッター１０５を閉状態から開状態に変更（遷移）させるのに十分な時間である。そして開状態に変更後に直流低電圧Ｂへ切り替えることにより、開状態を継続しながらもソレノイド１で消費される電力を抑制することができ、またデューティ出力部４のデューティを切り替えることで直流低電圧を切り替えるため、電気回路の電力ロスを低減することができる（Ｓ００６）。なおデューティ出力部４は、充電が満了した旨の出力を受けるまではデューティＡを出力する仕様となっている。
【００５１】
次に、使用者が壁スイッチ１０２をＯＦＦすると、交流電源から換気装置１０１への交流電圧は遮断され、駆動部８により送風機１２０は停止するとともに、直交変換回路２による交流からの直流１４１Ｖも停止する（Ｓ００７→Ｓ００８）。
【００５２】
そのため、降圧部３の出力低電圧も低下するとともに、遅延部５のコンデンサの電荷は自由放電を行う（Ｓ００９）。その後、コンデンサの自由放電によって降圧部３からの出力低電圧がシャッター１０５を閉状態とする保持電圧未満の電圧（以下、直流低電圧Ｃ）まで降下すると、ソレノイド５はシャッターの自重を保持できなくなり、閉状態となる（Ｓ０１０→Ｓ０１１）。なお直流低電圧Ｃは、直流低電圧Ｂよりも低い電圧である。
【００５３】
以上が、通常使用における換気装置の動作である。
【００５４】
続いて、上記通常使用時における交流電圧、直流低電圧、コンデンサ電荷、シャッター動作の状態を、図５を用いて説明する。なお図５は、電気回路の回路動作を示すチャートである。また、図５中のＰはポイント（場所）を意味する。
【００５５】
電源ＯＮにより交流電圧が供給されると、直流低電圧は０（ボルト）から直流低電圧Ａ（ボルト）まで上昇する（Ｐ５０１、Ｐ５０２）。また、遅延部５を構成するコンデンサの電荷は、電荷なしの状態から徐々に上昇する（Ｐ５０３）。
【００５６】
直流低電圧が直流低電圧Ｃを超えると、ソレノイド１が駆動を開始することで、シャッター１０５が徐々に開状態に向かう（Ｐ５０４、Ｐ５０６）。
【００５７】
そして、直流低電圧が直流低電圧Ａに上昇して電圧が維持された状態でシャッターは完全な開状態となる（Ｐ５０７）。
【００５８】
コンデンサが十分に充電されて充電満了状態になると、その旨が遅延部５からデューティ出力部４に送信さる（Ｐ５０８）。デューティ出力部４はコンデンサの充電が満了した旨の出力を受け取ると、デューティＢを出力することで、直流低電圧は直流低電圧Ｂまで低下する（Ｐ５０９）。
【００５９】
以上が通常使用時における交流電圧、直流低電圧、コンデンサ電荷、シャッター動作の状態である。なお、図５には示していないが、交流電源がＯＦＦにされると、直流低電圧は０に低下し、コンデンサの電荷は徐々に放電されて電荷なしに近づく。また、ソレノイド１は直流低電圧が直流低電圧Ｃ未満となった時点で開状態を維持できなくなりシャッター１０５を閉状態とする。
【００６０】
次に、シャッター１０５が開状態を維持している際に、壁スイッチ１０２をＯＦＦとして、直交変換回路２への交流電圧の供給が遮断された直後に、再度壁スイッチ１０２をＯＮとして、直交変換回路２への交流電圧の供給が復帰した場合の電気回路の回路動作、および換気装置１０１の動作について説明する。なお、電灯などの電気製品を動作させる場合において、ＯＮ時に電気製品が即座に動作するような場合が稀であるため、使用者はこ
のような連続的なＯＮ、ＯＦＦ操作を壁に設けられたスイッチに対して頻繁に行う傾向がある。
【００６１】
このような場合には、以下に示すエラー動作が発生する。なお以下に示すエラー動作は、本実施の形態に必須である判定部７を備えない場合のものであり、本実施の形態の動作ではない。
【００６２】
具体的に図５参照しながら説明する。判定部７を備えない場合、交流電圧の供給が遮断されると、降圧部３からの直流低電圧Ｂは低下を始め、遅延部５のコンデンサも充電されていた電荷が自由放電される（Ｐ５１０、Ｐ５１１、Ｐ５１２）。直流低電圧がシャッター１０５の開状態を維持できなくなって閉状態となる直流低電圧Ｃ未満となると、シャッター１０５は自重によって即座に閉状態となる（Ｐ５１３）。
【００６３】
その後、使用者が即座に壁スイッチ１０２をＯＮとすると、遅延部３のコンデンサの電荷が満充電となっていないため、デューティ出力部４からデューティＡが出力されて、降圧部３から直流低電圧Ａが出力される（Ｐ５１４、Ｐ５１５）。それによって、ソレノイド１は動作して、シャッター１０５が開状態へ遷移する(Ｐ５１６)。しかし、遅延部５のコンデンサは、半充電状態からの充電となるため、満充電となる時間が短く、降圧部３からの直流低電圧Ｂへの切り替わりが早くなってしまう。そのため、シャッター１０５は開状態に至る前に直流低電圧Ｂが供給されてしまうため、シャッター１０５は閉じてしまう。つまり直流低電圧Ａを所定の時間だけ十分に与えることができないのである。降圧部３からの出力低電圧が直流低電圧Ｂに一度切り替わってしまうと、使用者が壁スイッチを再度ＯＦＦしない限り切り替わることがなく、シャッター１０５が閉状態を継続してしまう。つまり、シャッター１０５が閉じた状態で送風機１２０が駆動してしまうというエラー動作が発生するのである。
【００６４】
このため、本実施の形態では、判定部７を設けて構成している。具体的に図６参照しながら判定部７を設けて構成した場合の動作を説明する。図６は、電気回路の回路動作を示すフローチャートである。先に説明した同内容に関しては、同番号を付与し、説明を省略する。
【００６５】
使用者が壁スイッチ１０２をＯＮして、送風機１２０駆動および直交変換が行われて（Ｓ０００→Ｓ００１）、ソレノイド１へ直流低電圧Ａが供給される（Ｓ００２）。ソレノイド１によりシャッターが開状態へ推移する（Ｓ１０１）。その際、判定部７によって、直流低電圧がＣ未満か否かを判定する（Ｓ１０２）。
【００６６】
ここで直流低電圧がＣ未満である場合、その旨を受けてリセット部６は、遅延部５のコンデンサを強制放電させる（Ｓ１０２Ｙｅｓ→Ｓ１０３）。これにより、コンデンサは降圧部３からの直流低電圧がＣ未満の場合、常に強制放電されることとなる。一方、直流低電圧がＣ未満ではない場合は、リセットされること無く遅延部５のコンデンサへ充電が開始される。その後、遅延部５でコンデンサが満充電かを判定する（Ｓ００４）。コンデンサが満充電の場合は、デューティ出力部４がデューティＢを出力して、直流低電圧Ａから直流低電圧Ｂへ切り替える（Ｓ００４Ｙｅｓ→Ｓ００５）。一方、コンデンサが満充電ではない場合は、再度判定部７に戻って判定を行い（Ｓ００４Ｎｏ→Ｓ１０２）、満充電となるまでフローを繰り返す。その後、コンデンサが満充電となって（Ｓ００４Ｙｅｓ→Ｓ００５）、直流低電圧Ａから直流低電圧Ｂへ切り替わって、シャッター１０５の開状態が継続される（Ｓ００６）。
【００６７】
次に、使用者が壁スイッチ１０２をＯＦＦすると（Ｓ００７）、送風機１２０および直交変換回路２が停止し（Ｓ００８）、直流低電圧が低下するとともにコンデンサが自由放
電を行う（Ｓ００９）。直流低電圧がＣ未満となると（Ｓ０１０）、シャッターは閉状態となるとともに、判定部７によってリセット部６を動作させてコンデンサは強制放電される。その後、待機状態となるが（Ｓ１０６）、使用者が壁スイッチ１０２をＯＮすると交流電圧ＯＮの状態（Ｓ０００）から再動作を行うことになる。すなわち、使用者の壁スイッチ１０２のＯＦＦからＯＮの短期間操作（Ｓ００７からＳ０００まで）が行われても、判定部７によって、直流低電圧がＣ未満かを判定して、遅延部５のコンデンサを強制放電するため、直流低電圧Ａに変換された直後から所定の時間が経過すると直流低電圧Ｂへ切り替わることとなり、ソレノイド１がシャッター１０５を閉状態から開状態へ変更させるのに十分な時間を確保することができる。
【００６８】
判定部７を備えた場合における交流電圧、直流低電圧、コンデンサ電荷、シャッター動作の状態を、図７を用いて説明する。なお図７は、電気回路の回路動作を示すチャートである。なお、図７における通常時の状態については既述のため省略する。  判定部７を備えた状態でシャッター１０５が開状態を維持している際に、使用者が壁スイッチ１０２をＯＦＦとすると、降圧部３からの出力低電圧は低下を始める（Ｐ６０１、Ｐ６０２）。同時に、遅延部５の満充電となっているコンデンサは電荷の自由放電が始まる（Ｐ６０３）。降圧部３からの出力低電圧が直流低電圧Ｃ未満となると、ソレノイド１の保持電圧を確保できないため、シャッター１０５が保持トルクを維持できずに即座に閉状態となる（Ｐ６０４）。またこれと同時に、判定部７直流低電圧Ｃ未満であることを判定し、遅延部５のコンデンサの電荷を強制放電するように、直流低電圧Ｃ未満であると判定した旨がリセット部６へ伝達される（Ｐ６０５）。これにより、コンデンサの電荷は強制放電されて直ちに低下する（Ｐ６０６）。
【００６９】
その後、短期間で使用者によって再度壁スイッチ１０２がＯＮされると、デューティ出力部４からのデューティＡの出力によって、降圧部３から直流低電圧Ａがソレノイドに供給される（Ｐ６０７、Ｐ６０８）。これにより、シャッター１０５は閉状態から開状態へ移行し、遅延部５のコンデンサは再度充電を始める（Ｐ６０９、Ｐ６１０）。つまり、コンデンサの電荷はリセットされた状態から充電されるため、ソレノイド１へ直流低電圧Ａを印加するための所定の時間が十分に確保され、シャッター１０５は確実に開状態へ移行することができる（Ｐ６１１）。
【００７０】
なお、コンデンサの充電が開始されてから所定の時間経過後は、直流低電圧Ａから直流低電圧Ｂに移行される点は上述したとおりである（Ｐ６１２）。
【００７１】
上記のように、本実施の形態の換気装置によれば、ソレノイドへ印加される電圧は、シャッター開時には直流低電圧Ａを印加し、所定の時間が経過すると直流低電圧Ｂへ切り替わることとなり、ソレノイドで消費される電力を抑制することができ、換気装置の小型化と低コスト化を図ることができる。
（実施の形態２）
図８に本実施の形態に係る換気装置２０１の電気回路の構成を示す。
【００７２】
図８に示す換気装置２０１は、入力スイッチ９を介して外部からの動作ＯＦＦ指示または動作ＯＮ指示を受け付ける。そして例えば制御部１０に動作ＯＦＦや動作ＯＮの指示を受け付けた旨を送信し、あるいは制御部１０が常時入力スイッチ９の状態を監視してスイッチ９の状態を取得する。なお、入力スイッチ９は、例えば使用者が掃除をするために一時的に換気装置２０１を停止させる目的で用意されたスイッチであり、換気装置２０１の本体に設けられ、具体的には、本体フレーム７に設けられる。
【００７３】
この入力スイッチ９を使えば、換気装置２０１と離れた場所にある壁スイッチ１０２を操作せずとも換気装置２０１を一時的に停止させることができる。入力スイッチ９は、例
えば制御部１０が直接認識できる小型の低電圧用スイッチを適用することができる。すなわち、換気装置２０１の一時停止時には、換気装置２０１への交流電圧や降圧部３の出力を直接ＯＮ／ＯＦＦする必要は無い。スイッチ９を通じて換気装置２０１への交流電圧を通電した状態で制御部１０による駆動部８とデューティ出力部４とを制御することにより、送風機を停止させシャッター１０５を閉じることで一時停止を実現できるが詳細は後述する。
【００７４】
制御部１０は、例えば、トライアックもしくはリレーで構成される駆動部８の駆動制御を行う。また制御部１０は、直流低電圧Ｂよりも低い直流低電圧Ｄに対応するデューティＤを出力する旨の指示をデューティ出力部４に対して送信する。また制御部１０は、リセット部５の動作指示を制御する。制御部１０は、例えばマイコンで構成される。
【００７５】
降圧変換部１１は、降圧部３の出力を受けて制御部１０の駆動電圧を生成して制御部１０に提供する。具体的には、降圧変換部１１は、例えばレギュレータであり、降圧部３の出力電圧を所定の低電圧、すなわち制御部１０の制御部動作電圧（以下、直流低電圧Ｅ）に変換し、制御部１０へ印加する。
【００７６】
次に、電気回路の回路動作、および換気装置２０１の起動時の動作について図９及び図１０を参照しながら説明する。図９は、本実施の形態に係る電気回路の回路動作を示すフローチャートである。また図１０は、換気装置２０１の電気回路の回路動作を示すチャートである。なお図９における付番の先頭に記されたＳはステップを意味するが、Ｓに続く数値は必ずしも処理順序を示すものではない。また図１０中のＰはポイント（場所）を意味する。また、実施の形態１にて説明した同内容に関しては、同番号を付与し、説明を省略する。
【００７７】
まず、使用者が壁スイッチ１０２をＯＮすると（Ｓ０００）、交流電源から換気装置２０１に交流電圧が供給され、直交変換回路２により交流から直流の１４１Ｖに変換される（Ｓ２０１）、（Ｐ７０１）。
【００７８】
直交変換回路２によって変換された直流電圧は、降圧部３に供給され、降圧部３は、デューティ出力部４からのデューティＡの指示に従って、直流低電圧を直流低電圧Ａになるように変換して出力する（Ｓ２０２）、（Ｐ７０２）。その後、直流低低電圧が直流低電圧Ｅ以上となると、制御部１０が動作する（Ｓ２０３）、（Ｐ７０３）。
【００７９】
制御部１０が動作すると、制御部１０よりデューティ出力部４へデューティＤの出力を指示するとともに、リセット部６を動作させる（Ｓ２０４）。
【００８０】
デューティ出力部４からのデューティＤの出力指示によって、降圧部３は直流低電圧Ｄを出力するとともに、電源ＯＮによって充電されていた遅延部５のコンデンサは強制放電される（Ｓ２０５）、（Ｐ７０４）。ここで直流低電圧Ｄは、シャッター１０５の開状態を保持できる保持電圧よりも低く、制御部１０の動作を維持できる電圧よりも高い制御部動作電圧である。
【００８１】
次に、使用者によって入力スイッチ９がＯＮ操作されると、制御部１０よりデューティ出力部４へデューティＡを出力するように指示するとともに、リセット部６を解除する指示と、送風機駆動を指示する（Ｓ２０７）、（Ｐ７０５）。
【００８２】
降圧部３は、デューティ出力部４からのデューティＡの指示に従って、直流低電圧Ａに変換して、ソレノイド１へ供給する（Ｓ００２）、（Ｐ７０６）。
【００８３】
直流低電圧Ａがソレノイド１に印加されると、ソレノイド１が励磁されてシャッター１０５の可動部を動作させ、シャッター１０５が開き、遅延部５に設けられたコンデンサは直流低電圧Ａによって充電が開始される（Ｓ００３）、（Ｐ７０７、Ｐ７０８）。
【００８４】
直流低電圧Ａの出力から所定の時間が経過すると、遅延部５のコンデンサの充電が満了となり、遅延部５からデューティ出力部４へ充電が満了した旨が出力される（Ｓ００４Ｙｅｓ→Ｓ００５）、（Ｐ７０９）。
【００８５】
デューティ出力部４は、コンデンサの充電が満了した旨の出力を受け取ると、デューティＢを出力する。これにより、ソレノイド１へ印加される電圧は直流低電圧Ｂに変更される（Ｓ００５）、（Ｐ７１０）。そして開状態に変更後に直流低電圧Ｂへ切り替えることにより、開状態を継続しながらもソレノイド１で消費される電力を抑制することができる。またデューティ出力部４のデューティを切り替えることで直流低電圧を切り替えるため、電気回路の電力ロスを低減することができる（Ｓ００６）、（Ｐ７１１）。
【００８６】
以上が、換気装置２０１の起動時の動作である。
【００８７】
続いて、使用者が入力スイッチ９をＯＦＦ操作した場合の動作について説明する。これは例えば換気装置２０１の清掃時などに行われる動作である。
【００８８】
換気装置２０１が起動した状態で使用者が入力スイッチ９をＯＦＦ操作し「一時停止」を示す状態にする（Ｓ２０７）、（Ｐ７２０）。
【００８９】
制御部１０は、入力スイッチ９のＯＦＦを検知すると、制御部１０からデューティ出力部４へデューティＤを出力するように指示するとともに、リセット部６の動作指示をし、かつ送風機の駆動を停止させる（Ｓ２０８）。
【００９０】
デューティ出力部４からのデューティＤの指示をうけて、降圧部３は直流低電圧Ｄを出力する。また、リセット部６からの指示により遅延部５のコンデンサが強制放電して、送風機１２０は駆動を停止し、すなわち換気装置２０１は待機状態となる（Ｓ２１０）。
【００９１】
この状態では、降圧部３の直流低電圧Ｄによって、シャッター１０５の開状態は維持できずに閉状態となっている（Ｐ７２１、Ｐ７２２）。
【００９２】
またリセット部６への動作指示により、遅延部５のコンデンサの電荷が強制放電される（Ｐ７２３）。
【００９３】
つまり待機状態においては、待機状態に至る過程を含めて降圧変換部１１は、直流低電圧Ａ、直流低電圧Ｂ、直流低電圧Ｃ、または直流低電圧Ｄを受けて、常時一定の制御部動作電圧である直流低電圧Ｅ（例えば、５Ｖ）を出力している。つまり制御部１０は、換気装置２０１が「一時停止」の状態においても動作することができる。従って、シャッター１０５が閉じた状態でも制御部１０は継続して動作でき、以後の入力スイッチ９の操作入力を受け付けることができる（Ｐ７２４）。
【００９４】
次に、使用者が入力スイッチ９をＯＮ操作して、「一時停止」状態から「通常」状態に戻した場合を説明する。これは、図９におけるフローチャート上での待機状態であるＳ２１０からの、Ｓ２０６〜Ｓ００６の処理に該当する。
【００９５】
つまり、換気装置２０１が「一時停止」状態で再び入力スイッチ９がＯＮ操作されると、ＯＮ操作を検知した制御部１０は、デューティ出力部４に対し、出力電圧を直流低電圧
Ａに復帰させる指示を出力する（Ｐ７２５）。つまり、送風機１２０やソレノイド１が停止状態であっても、最低限の電力を供給されている制御部１０は、入力スイッチ９の状態を検知可能である。
【００９６】
降圧部３は、デューティ出力部４を介した制御部１０からの指示に基づいて、出力電圧を直流低電圧Ｄから直流低電圧Ａに復帰させる（Ｐ７２６）。これにより、ソレノイド１が駆動しシャッター１０５が開状態となる（Ｐ７２７）。
【００９７】
また制御部１０は、リセット部６の動作を停止（解除）し、遅延部５のコンデンサの電荷の強制放電を停止するためコンデンサは直流低電圧Ａを受けて充電される（Ｐ７２８）。
【００９８】
さらに、制御部１０は、駆動回路８をＯＮして送風機を起動する。
【００９９】
その後、所定の時間が経過して、遅延部５のコンデンサの充電が満了となりその旨の出力を受けると、デューティ出力部４がデューティＢを降圧部３に出力することで、降圧部３より直流低電圧Ｂが出力される（Ｐ７２８）。このため、所定の時間経過後は、ソレノイド１で消費される電力消費が低減されるのは実施の形態１と同様である。
【０１００】
なお、入力スイッチ９については、入力状態が固定されるスイッチ、あるいは、入力状態が固定されない反転式のスイッチのいずれを用いてもよい。
【０１０１】
上記のように、本実施の形態の換気装置によれば、入力スイッチを操作して「一時停止」状態と「通常時」状態を切り換える。そして、「一時停止」状態では、ソレノイドには、直流低電圧Ｄの電圧を印加し、制御部には、降圧変換部を介して動作電圧が常時供給されるので、ソレノイドと制御部の電源回路を共用化でき、換気装置の小型化と低コスト化を図ることができる。
【産業上の利用可能性】
【０１０２】
本発明に係る換気装置は、室内空気を排気する住宅用の換気装置などの用途として有効である。
【符号の説明】
【０１０３】
１    ソレノイド
２    直交変換回路
３    降圧部
４    デューティ出力部
５    遅延部
６    リセット部
７    判定部
８    駆動部
９    入力スイッチ
１０    制御部
１１    降圧変換部
１０１    換気装置
１０２    壁スイッチ
１０３    窓
１０４    フロントグリル
１０５    シャッター
１０６    羽根
１０７    本体フレーム
１０８    電装部
１０９    モータ
１２０    送風機
２０１    換気装置
【図１】
0006681536.tif 000002
【図２】
0006681536.tif 000003
【図３】
0006681536.tif 000004
【図４】
0006681536.tif 000005
【図５】
0006681536.tif 000006
【図６】
0006681536.tif 000007
【図７】
0006681536.tif 000008
【図８】
0006681536.tif 000009
【図９】
0006681536.tif 000010
【図１０】
0006681536.tif 000011